(57)【要約】      （修正有）【課題】様々なサイズの波板を破損させること無く釘を引き抜くことができるとともに、波板以外の材料に打ち込まれた釘も引き抜くことができ、釘のサイズの大小を問わずに引き抜くことができる釘抜きを提供する。【解決手段】釘抜きは、一対の長手体２を交叉させて互いに揺動可能に軸着し、その先端に釘頭を挟持可能な挟持部５を形成するとともに、その基端部に握持部６を形成し、波板に打ち込まれた釘を引き抜く釘抜きであって、一方の長手体２から伸びる連結部に固定されて前記挟持部５の外側に保持され、前記釘を引き抜く際に前記波板の谷部に当接する支持部８を備える。【選択図】図１
0003176120.tif 000002
【実用新案登録請求の範囲】
【請求項１】
一対の長手体を交叉させて互いに揺動可能に軸着し、その先端に釘頭の下側を挟持可能な挟持部を形成するとともに、その基端部に握持部を形成し、波板に打ち込まれた釘を引き抜く釘抜きであって、
一方の長手体から伸びる連結部に固定されて前記挟持部の外側に保持され、前記釘を引き抜く際に前記波板の谷部に当接する支持部を備えることを特徴とする釘抜き。
【請求項２】
前記支持部は、前記波板の谷部に収まる円筒形状又は円柱形状であることを特徴とする請求項１に記載の釘抜き。
【請求項３】
前記支持部は、前記連結部に対して着脱可能であることを特徴とする請求項１又は請求項２に記載の釘抜き。
【請求項４】
前記連結部は筒状のアウターと当該アウターに抜き出し可能に収納されるインナーとを有することを特徴とする請求項１から請求項３のいずれかに記載の釘抜き。
【考案の詳細な説明】
【技術分野】
【０００１】
本考案は、波板に打ち付けられた釘を引き抜く釘抜きに関する。
【背景技術】
【０００２】
従来より、Ｌ字状に形成されており、その短辺の先端が釘頭の下側に挿入可能な二又に分かれた釘抜きが良く知られている。このような従来の釘抜きは、重ね合せた複数枚の木材や樹脂材などの材料同士を結合させて一体化させるために打ち込まれた釘を、引き抜いて結合を解除するのに用いられる。そして、このように解体した材料を再利用する場合は、釘を引き抜く際に、材料に傷を付けないことが必要となる。
【０００３】
上述のように釘によって結合する材料が平坦な板状であって、且つ、比較的硬質の材質であれば、従来の釘抜きによってその板材の表面をあまり傷付けずに釘を抜くことができるが、釘を打ち付けられる対象が波板である場合には、従来の釘抜きを用いて釘を抜こうとすると、Ｌ字状の釘抜きの直角をなす角部が釘を抜く力の支点となることから、その角部に荷重が集中して波板の表面を変形させて、波板を破損させる恐れがある。
【０００４】
そこで、例えば図７に示すように、Ｌ字上のくぎ抜き本体１００と、波板１０１の波形の表面と略同じ形状にされた釘抜き支持部１０２とを備えており、釘抜き本体１００の角部１０３が釘抜き支持部１０２に設けられた連結部１０４に回動可能に連結するする波板用釘抜き１０５が提案されている（例えば特許文献１）。この波板用釘抜き１０５は、釘抜き支持部１０２が波板１０１の波形と同形状であるので、釘を引き抜く際に角部１０３に集中する荷重を釘抜き支持部１０２全体に分散させて波板１０１に伝えるので、波板１０１の破損を防ぐことができる。
【先行技術文献】
【特許文献】
【０００５】
【特許文献１】特開平８−２１６０５６号公報
【考案の概要】
【考案が解決しようとする課題】
【０００６】
しかし、従来例の波板用釘抜き１０５は、釘抜き支持部１０２が波板１０１の波形と同形状であるので、この釘抜き支持部１０２の形状に合う波板用釘抜き１０５としてしか使用することができず、波板１０１以外の材料に打ち込まれた釘はもとより、釘抜き支持部１０２とサイズの異なる波板１０１に打ち込まれた釘を引き抜くことができない。
【０００７】
また、先端が二又になったＬ字上の釘抜きは釘頭の径が小さ過ぎると先端の二又の間に釘頭が引っ掛からず、釘の胴部の径が太すぎると先端の二又の間に釘の胴部を挿入することができないので、釘のサイズによってはこのような釘抜きを利用することができない。
【０００８】
そこで、本考案は、様々なサイズの波板を破損させること無く釘を引き抜くことができるとともに、波板以外の材料に打ち込まれた釘も引き抜くことができ、釘のサイズの大小を問わずに引き抜くことができる釘抜きを提供することを目的とする。
【課題を解決するための手段】
【０００９】
請求項１に記載の釘抜きは、一対の長手体を交叉させて互いに揺動可能に軸着し、その先端に釘頭を挟持可能な挟持部を形成するとともに、その基端部に握持部を形成し、波板に打ち込まれた釘を引き抜く釘抜きであって、一方の長手体から伸びる連結部に固定されて前記挟持部の外側に保持され、前記釘を引き抜く際に前記波板の谷部に当接する支持部を備えることを特徴としている。
【００１０】
請求項２に記載の釘抜きは、前記支持部は、前記波板の谷部に収まる円筒形状又は円柱形状であることを特徴としている。
【００１１】
請求項３に記載の釘抜きは、前記支持部は、前記連結部に対して着脱可能であることを特徴としている。
【００１２】
請求項４に記載の釘抜きは、前記連結部は筒状のアウターと当該アウターに抜き出し可能に収納されるインナーとを有することを特徴としている。
【考案の効果】
【００１３】
請求項１の釘抜きによると、引き抜くべき釘の釘頭の下側を挟持部で挟み込んで、支持部を波板の谷部に当接させた状態で釘抜きを支持部側に倒すことにより支持部を支点として釘を引き抜くことができる。そして支持部が波板の谷部に当接するので、破損し易い形状の波板の山部に荷重をかけることが無く、また、挟持部が釘頭の下側を挟持するので、バールのような形状に比べて、釘を上方に引き抜き易い形状であるので、ある程度釘が引き抜かれた後は、釘抜きを倒しすぎずに上方に引き抜くことができ、波板の支持部に当接する部分に過度の荷重が加わることを防ぎ、波板の破損を防ぐことができる。また、支持部は波板の谷部に当接することができる形状であればよいので、所定範囲内の様々なサイズの波板から釘を抜くことができるとともに、波板以外の材料に打ち込まれた釘も同様に引き抜くことができる。また挟持部で挟んで釘を引き抜く構成であるので、釘頭の径が小さい場合や釘の胴部の径が大きい場合でも釘を挟んで引き抜くことができる。
【００１４】
請求項２の釘抜きによると、支持部が波板の谷部に収まる円筒形状又は円柱形状であるので、支持部を波板の谷部に当接させた状態で釘抜きを支持部側に倒したときに波板に加わる荷重を分散させることができる。
【００１５】
請求項３の釘抜きによると、例えば支持部が他の部材と干渉するなどで、釘抜きが使用できない場合にもこの支持部を取り外すことで、簡単に釘抜きを使用することができる。
【００１６】
請求項４の釘抜きによると、アウターからインナーを出し入れすることにより、連結部を伸縮可能にしているので、波板などの釘が打ち込まれた材料の形状に応じて、支持部の位置を調節することができる。
【図面の簡単な説明】
【００１７】
【図１】釘抜きの外観構成を示す斜視図。
【図２】挟持部を開閉する状態を説明する釘抜きの正面図。
【図３】（Ａ）は挟持部を開いた状態の一部省略拡大断面図、（Ｂ）は釘頭の下側を挟持部で挟持した状態の一部省略拡大断面図。
【図４】（Ａ）は、支持部が波板の谷部に当接した状態の釘抜きを示す一部省略拡大断面図、（Ｂ）は、釘をある程度まで引き抜いた状態を示す一部省略拡大断面図。
【図５】連結部と支持部とが着脱可能な構成を説明する一部省略拡大斜視図。
【図６】連結部の変形例を説明する一部省略拡大斜視図。
【図７】従来の波板用釘抜きの一例を示す図。
【考案を実施するための形態】
【００１８】
以下、各図を参照しつつ本考案の釘抜き１の最良の実施形態について説明する。釘抜き１は、図３及び図４に示すように、主に波板９に打ち込まれた釘１０を引き抜く工具であって、図１に示すように、長手形状の鋼材により構成された一対の長手体２を交叉させて、その交叉部をボルト３及びナット４で締結し、互いに揺動可能となるように構成した手動工具である。一対の長手体２の先端にはそれぞれ湾曲した鋼材が溶接されて挟持部５を形成している。また、一対の長手体２の基端側は、他の部分よりも細く形成されて握持部６を形成している。作業者は、図２に示すように、この握持部６を握ることにより、挟持部５の開閉を操作している。また、一方の長手体２の先端からは細長い円柱状の連結部７が伸びており、挟持部５の外側で、この連結部７の先端に円柱形状の支持部８が固定されている。
【００１９】
挟持部５は、図１及び図２に示すように、互いに中間部が離間し先端が近接するように湾曲した一対の鋼材をそれぞれ長手体２の先端に溶接したものであって、その先端５ａはテーパー状に先細って形成されている。挟持部５は、握持部６を操作して挟持部５を閉じると、挟持部５の先端５ａが互いに当接しあうように構成されている。このように挟持部５の先端５ａ同士がテーパー状に先細ってが形成されていることにより、釘１０が打ち込まれた波板９などの材料と釘頭１１との間に挟持部５の先端５ａが挿入されやすくなり、波板９などの材料を傷つけにくくなる。また、挟持部５で挟み込む構成であるので釘頭１１の径が小さい場合や釘１０の胴部１２の径が大きい場合でも挟持部５に釘１０を挟持させることができ、釘１０の径に関係なくどのような釘１０でも引き抜くことができる。
【００２０】
握持部６は、図１に示すように、一対の長手体２の基端部であって、長手体２同士が対向する面と反対側の面が内側に切り欠かれて他の部分よりも細く形成されている。そして握持部６の最も基端側は広がってスリップ防止部１３が形成されており、作業者が片手で握持部６を操作するときに操作しやすく、また、手が滑ってもこのスリップ防止部１３が作業者の手に引っ掛かることができるように形成されている。なお、握持部６の構成はこれに限定されるものではなく、例えば、図示しないが滑り止めとして樹脂製のグリップが被覆されていてもよい。
【００２１】
連結部７は、図１及び図２に示すように、一対の長手体２のうちの一方の長手体２の先端に溶接されて挟持部５の外側に伸びる細長い円柱状であって、図５に示すように、その先端に雄ネジ１４が形成されている。また、支持部８は、円柱状に形成されており、中間部にネジ孔１５が形成されており、このネジ孔１５に雄ネジ１４を締結して、連結部７と支持部８とを固定している。なお、支持部８は連結部７に対して着脱可能に構成されることにより、支持部８が他の部材と干渉するような場所に打ち込まれた釘１０を抜く場合にも、この支持部８を取り外すことで、連結部７の先端を支点として、釘１０を引き抜くことができる。
【００２２】
なお、支持部８と連結部７との固定はネジによる締結に限定されるものではなく、例えば嵌合させて固定するものであってもよく、また、支持部８を着脱する必要がない場合は連結部７の先端と支持部８とを溶接して固定していてもよい。また、支持部８の形状は、円柱状に限定されるものではなく、例えば内部を中空にした円筒状であってもよく、釘１０が打ち込まれた材料に当接する部分が円弧状に形成されていれば例えば半円柱形状であってもよい。
【００２３】
また、連結部７は、上述の構成に限定されるものではない。連結部７の変形例として、図６に示すように、連結部７は一方の長手体２の先端に溶接されて挟持部５の外側に伸びる細長い円柱状のインナー１６と、支持部８の周面に溶接される円筒状のアウター１７とを有するものであってもよい。この連結部７は、インナー１６の先端には雄ネジ１８が形成されておりアウター１７の内部に形成された雌ネジ１９が形成されており、インナー１６をアウター１７の内部に螺合させることにより支持部８を固定することができるものである。そして、アウター１７側を弛緩方向に回転させることにより、アウター１７内部からインナー１６を伸出させて連結部７を伸長し、アウター１７側を締結方向に回転させることにより、アウター１７内部にインナー１６を収納させて連結部７を縮退させることができるので、連結部７の長さを調節することができる。
【００２４】
このように、連結部７の長さを調節することにより、連結部７の先端に固定されている支持部８の位置を調節することができるので、釘１０が打ち込まれている波板９のサイズに応じて支持部８の位置を調節することができる。
【００２５】
次に、このように構成される釘抜き１を用いて波板９に打ち込まれた釘１０を引き抜く工程を説明する。波板９は、例えば屋根材等の用途で使用されるが、波形をなす山部２０と谷部２１のうち、一般的に山部２０に釘１０を打ち付ける。すなわち、谷部２１に釘１０を打ち付けると、雨水の殆どが谷部２１を伝って落下するため、雨水が洩れ易くなるので山部２０に釘１０を打ち付けるのである。
【００２６】
まず、図３（Ａ）に示すように、釘抜き１の挟持部５を開いた状態で保持し、図３（Ｂ）に示すように、挟持部５を閉じて、釘頭１１と波板９との間にテーパー状に形成された挟持部５の先端５ａを挿入して、釘頭１１の下側を挟持する。そして、図４（Ａ）に示すように、釘抜き１を支持部８側に倒して、支持部８を波板９の谷部２１に当接させ、図４（Ｂ）に示すように、支持部８を支点にしてさらに釘抜き１を倒して釘１０をある程度まで波板９から引き抜く。釘１０はある程度まで引き抜かれると、あとは弱い力でも引き抜くことができるので、挟持部５を閉じた状態のまま釘抜き１を上方に持ち上げて釘１０を引き抜く。
【００２７】
このように、円柱状の支持部８を支点として波板９の谷部２１に当接させて釘抜き１を倒すので、破損しやすい波板９の山部２０に荷重が加わることが無く、また、円柱形上であるので波板９の谷部２１に加わる荷重も分散されて波板９の破損を抑制することができる。また、挟持部５が釘頭１１の下側を挟持するので、ある程度釘１０が引き抜かれた後は、釘抜き１を倒しすぎずに上方に引き抜くことができ、波板９の支持部８に当接する部分に過度の荷重が加わることを防ぎ、波板９の破損を防ぐことができる。
【００２８】
なお、本考案の実施の形態は上述の形態に限ることなく、本考案の思想の範囲を逸脱しない範囲で適宜変更することができることは云うまでもない。
【産業上の利用可能性】
【００２９】
本考案に係る釘抜き１は、主に波板９に打ち込まれた釘１０を引き抜く釘抜き１として好適に用いることができる。
【符号の説明】
【００３０】
１      釘抜き
２      長手体
５      挟持部
６      握持部
７      連結部
８      支持部
９      波板
１０    釘
１１    釘頭
１６    インナー
１７    アウター
【図１】
0003176120.tif 000003
【図２】
0003176120.tif 000004
【図３】
0003176120.tif 000005
【図４】
0003176120.tif 000006
【図５】
0003176120.tif 000007
【図６】
0003176120.tif 000008
【図７】
0003176120.tif 000009